(57)【特許請求の範囲】
【請求項１】
温水を供給するための熱源機と、熱源機に接続された複数の温水暖房端末機と、熱源機を制御するためのリモートコントローラとを備えた温水暖房システムにおいて、
熱源機が燃焼運転を行っている時に、いずれかの温水暖房端末機から運転停止信号を受信した場合には、熱源機は、所定時間燃焼運転を継続した後、燃焼運転を停止することを特徴とする温水暖房システムにおける熱源機の運転制御方法。
【発明の詳細な説明】
【０００１】
【発明の属する技術分野】
本発明は、温水暖房システムにおける熱源機の運転制御方法に関する。特に、本発明は、温水暖房端末機からの運転停止信号により熱源機を運転停止させる際の処理方法に関するものである。
【０００２】
【従来の技術】
室内に設置された複数台の温水暖房端末機を並列にして熱源機に接続し、熱源機で加熱された温水を複数台の温水暖房端末機と熱源機の間で循環させ、各温水暖房端末機で放熱させることにより、室内の暖房を行なうようにした暖房システムが用いられている。
【０００３】
このような暖房システムにおいては、熱源機は、リモートコントローラによるスイッチ操作で燃焼運転を開始又は停止させられるようになっている。一方、各温水暖房端末機に設けられている操作パネルで、各温水暖房端末機の運転開始又は運転停止を操作できるようになっており、各温水暖房端末機を暖房運転開始したり、暖房運転停止したりすると、その端末機の運転開始信号又は運転停止信号が熱源機に送られるようになっている。
【０００４】
【発明が解決しようとする課題】
しかしながら、このような温水暖房システムにおいては、熱源機が燃焼して暖房運転している場合に、ある温水暖房端末機が暖房運転を停止して熱源機に運転停止信号を送ると、他の温水暖房端末機が運転中であるにもかかわらず、熱源機は燃焼運転を停止させられる。そして、熱源機のリモートコントローラの運転スイッチがオンになっている場合には、リモートコントローラは一定周期で熱源機にオン信号を発信しているため、温水暖房端末機からの運転停止信号によって熱源機が燃焼停止しても、熱源機はすぐに燃焼状態に復帰させられる。
【０００５】
このため、熱源機は不要な燃焼停止と燃焼再開の動作を行ってハンチングすることになり、機器寿命が短くなったり、不完全燃焼を起こす恐れが生じたりする問題があった。
【０００６】
本発明は上述の技術的問題点を解決するためになされたものであり、その目的とするところは、温水暖房システムにおいて、温水暖房端末機の運転停止時における熱源機のハンチング動作を回避することにある。
【０００７】
【課題を解決するための手段】
請求項１に記載の温水暖房システムにおける熱源機の運転制御方法は、温水を供給するための熱源機と、熱源機に接続された複数の温水暖房端末機と、熱源機を制御するためのリモートコントローラとを備えた温水暖房システムにおいて、熱源機が燃焼運転を行っている時に、いずれかの温水暖房端末機から運転停止信号を受信した場合には、熱源機は、所定時間燃焼運転を継続した後、燃焼運転を停止することを特徴としている。
【０００８】
【作用】
請求項１に記載の温水暖房システムにおける熱源機の運転制御方法にあっては、熱源機は、温水暖房端末機から運転停止信号を受信しても直ちに燃焼運転を停止せず、所定時間燃焼運転を継続した後に、遅延して燃焼運転を停止する。従って、ある温水暖房端末機が暖房運転を停止して熱源機に運転停止信号を出力しても、他の温水暖房端末機が暖房運転していると、熱源機が遅延して燃焼運転を停止する前に、リモートコントローラから熱源機にオン信号が出力されるので、熱源機は燃焼停止することなく燃焼運転を継続する。
【０００９】
また、ある温水暖房端末機が暖房運転を停止して熱源機に運転停止信号を出力したとき、他の温水暖房端末機が運転停止していると、リモートコントローラから熱源機にオン信号が出力されないので、熱源機は遅延して燃焼運転を停止する。
【００１０】
従って、熱源機はハンチングすることなく、スムーズに燃焼を停止し、あるいは燃焼状態を継続する。
【００１１】
【発明の実施の形態】
図１は本発明の一実施形態による温水暖房システム１１の構成を示す概略図である。熱源機１２は屋外に設置されており、複数台の各温水暖房端末機１３はそれぞれ異なる部屋に設置されている。また、熱源機１２には、床暖房パネル１４が接続されている。熱源機１２は、ガスを燃料とするものでもよく、灯油を燃料とするものでもよく、また内部に循環ポンプ（図示せず）を備えている。熱源機１２には給湯アダプタ１５を介して複数本の温水循環路１６が配管されており、各温水暖房端末機１３及び床暖房パネル１４と熱源機１２とは温水循環路１６を介して接続されている。運転中の温水暖房端末機１３と熱源機１２の間では、熱源機１２で加熱された温水が温水循環路１６（図１では、１本の配管しか示していないが、実際には往き管と戻り管とからなる）内を循環し、温水暖房端末機１３で放熱することにより、当該温水暖房端末機１３の設置されている部屋を暖房する。また、熱源機１２から出湯された温水は、温水循環路１６を通って床暖房パネル１４内を循環し、床暖房パネル１４の設置されている部屋の床暖房を行う。
【００１２】
図２は各温水暖房端末機１３に設けられている操作表示部１７である。１８は温水暖房端末機１３をオン、オフ操作する運転スイッチであって、運転スイッチ１８を押してオンにすると、温水暖房端末機１３が暖房運転を開始して運転ランプ１９が点灯し、再度運転スイッチ１８を押してオフにすると、温水暖房端末機１３が暖房運転を停止して運転ランプ１９が消灯する。２０は温度設定スイッチであって、温度設定スイッチ２０によって設定された設定温度は表示部２１に表示される。また、表示部２２には、室内温度が表示される。また、温度設定スイッチ２０は時刻設定スイッチを兼用しており、時刻設定モードでは温度設定スイッチ２０は時刻設定用となり、表示部２１、２２には時刻が表示される。
【００１３】
また、室内には熱源機１２を制御するリモートコントローラ２３が設置されており、リモートコントローラ２３と熱源機１２とは双方向通信線（２芯の双方向データ通信線）２４によって結ばれていて互いに信号（データ）を送受信している。また、各温水暖房端末機１３は、端末制御線２６により熱源機１２に接続されている。
【００１４】
上記のような構造の温水暖房システム１１において、各温水暖房端末機１３の運転スイッチ１８をオン、オフした場合の温水暖房端末機１３及び熱源機１２の処理動作を図３のフロー図により説明する。温水暖房端末機１３のコントローラは、運転スイッチ１８が押されたか否か監視している（ステップＳ１）。運転スイッチ１８を押す度に温水暖房端末機１３の暖房運転がオン、オフと切り替わるので、運転スイッチ１８が押されると、コントローラは暖房運転がオンになったか、オフになったか判定する（ステップＳ２）。運転スイッチ１８が押されて暖房運転がオンになったと判断すると、温水暖房端末機１３は熱源機１２へ運転開始信号を送る（ステップＳ３）。熱源機１２は温水暖房端末機１３から運転開始信号を受信すると、燃焼運転していなかった場合には燃焼運転を開始し、すでに燃焼運転していた場合には、燃焼運転を継続する（ステップＳ４）。
【００１５】
また、ステップＳ２において、運転スイッチ１８が押されて暖房運転がオフになったと判断すると、温水暖房端末機１３は熱源機１２へ運転停止信号を送る（ステップＳ５）。熱源機１２は温水暖房端末機１３から運転停止信号を受信すると、一定時間経過するのを待ち（ステップＳ６）、他の１３が暖房運転していない場合には、一定時間遅延させて熱源機１２の燃焼運転を停止させる（ステップＳ８）。
【００１６】
これに対し、他の温水暖房端末機１３が暖房運転している場合には、熱源機１２が燃焼運転を停止させるのを待っている間に（ステップＳ６）、リモートコントローラ２３から熱源機１２へオン信号が送られるので（ステップＳ７）、熱源機１２は燃焼運転を停止することなく燃焼を継続する。従って、従来例のように、熱源機１２がいったん燃焼停止してから再度燃焼を再開することが無く、熱源機１２を安定に燃焼させることができる。
【００１７】
【発明の効果】
請求項１に記載の温水暖房システムにおける熱源機の運転制御方法によれば、ある温水暖房端末機の暖房運転を停止すると、他の温水暖房端末機の運転状態に応じて熱源機はハンチングすることなく燃焼状態を継続し、あるいは遅延してスムーズに燃焼を停止する。従って、熱源機の耐久性を延ばすことができ、また温水暖房端末機をオフにする際の不完全燃焼も防止することができる。
【図面の簡単な説明】
【図１】本発明の一実施形態による暖房システムの構成を示す図である。
【図２】温水暖房端末機の操作表示部を示す正面図である。
【図３】運転スイッチをオン、オフされたときの熱源機の運転動作を説明するフロー図である。
【符号の説明】
１２  熱源機
１３  温水暖房端末機
１６  温水循環路
１８  運転スイッチ
１９  運転ランプ
２３  リモートコントローラ
【図１】
0004029527.tif 000002
【図２】
0004029527.tif 000003
【図３】
0004029527.tif 000004